(57)【特許請求の範囲】
【請求項１】
容器本体の口首部に注出スパウトを備えたキャップが装着された被詰替え容器に内容物を詰め替えるための、詰替え容器の詰替え流出口を覆って取り付けられる詰替え容器用栓部材であって、
栓本体部と、前記注出スパウトによって前記栓本体部から容器の内側に押し出される押出し蓋部とからなり、
前記栓本体部は、基盤部から上方に立設して前記注出スパウトの先端部分の導入開始部となる円形又は略円形の中空断面形状を備える環状導入壁を備えており、該環状導入壁の内側領域には、前記注出スパウトの外周断面形状に沿った略Ｕ字形状の開口縁部を有する装着開口が形成されており、
前記押出し蓋部は、前記装着開口を前記環状導入壁とは反対側の下方から覆って前記栓本体部に着脱可能に取り付けられており、且つ前記装着開口の下端開口面よりも上方に突出して前記開口縁部の略Ｕ字形状部分の内側に配置される位置決めセット壁を備えており、
該位置決めセット壁と前記環状導入壁との間に形成されたガイド溝に前記注出スパウトの先端部分を挿入することで、前記注出スパウトの先端部分を外周面が前記開口縁部の略Ｕ字形状部分に沿う向きに位置決めさせる詰替え容器用栓部材。
【請求項２】
前記環状導入壁は、その内壁面の形状が、上端開口面又はこれの近傍部分から、下方の装着開口又はこれの近傍部分に向けて、円形又は略円形から、略Ｕ字形状部分を含む形状となるように、内周の横断面形状を変化させてゆくものとなっている請求項１記載の詰替え容器用栓部材。
【請求項３】
前記環状導入壁は、その内壁面の形状が、上端開口面又はこれの近傍部分から、下方の装着開口又はこれの近傍部分に向けて、円形又は略円形から、略Ｕ字形状部分を含む形状となるように、内周の横断面形状を滑らかに徐々に変化させてゆくものとなっている請求項２記載の詰替え容器用栓部材。
【請求項４】
前記位置決めセット壁の上端部に連設して、ドーム形状部分が設けられている請求項１〜３のいずれか１項記載の詰替え容器用栓部材。
【請求項５】
前記位置決めセット壁は、前記押出し蓋部に設けられた切頭円錐形状部分の周壁部によって構成されている請求項１〜４のいずれか１項記載の詰替え容器用栓部材。
【請求項６】
前記押出し蓋部が前記栓本体部に取り付けられた状態で、前記位置決めセット壁は、前記装着開口の下端開口面から前記環状導入壁の先端までの高さの半部以上の高さ位置まで上方に突出して配置される請求項１〜５のいずれか１記載の詰替え容器用栓部材。
【請求項７】
前記環状導入壁の内側面には、当該内側面から前記装着開口に向けて傾斜する傾斜誘導壁面部が形成されている請求項１〜６のいずれか１項記載の詰替え容器用栓部材。
【発明の詳細な説明】
【技術分野】
【０００１】
本発明は、詰替え容器用栓部材に関し、特に、注出スパウトを備える注出キャップが装着された被詰替え容器に内容物を詰め替えるための詰替え容器用栓部材に関する。
【背景技術】
【０００２】
近年、各種の液体や、その他の内容物を収納する合成樹脂製の容器についても、環境負荷の低減が図られるようになっており、使用する樹脂量を減らした薄肉の容器が種々開発されている。また、各種の洗剤や食品等を収納する容器として、パウチ等による詰替え容器が多く用いられている。詰替え容器は、収納した内容物を、注出スパウト等による注出部を備える被詰替え容器に詰め替えたり補充したりすることで、高価な被詰替え容器をその都度廃棄することなく、長期間使用できるようにする。
【０００３】
一方、パウチ等による詰替え容器は、柔軟性や可撓性に富んだ軟包材によって形成されており、詰め替え作業の際に容器が変形し易く、またきわめて不安定な状態となり易い。このようなことから、例えば注出スパウトを備える注出キャップが口首部に装着された被詰替え容器に内容物を詰め替えるための詰替え容器に取り付けられる栓部材として、詰め替え時に詰替え容器の詰替え流出口を被詰替え容器の注出スパウトに安定した状態で位置決めできるようにした、詰替え容器用の口栓（栓部材）が種々開発されている（例えば、特許文献１、特許文献２）。
【０００４】
特許文献１や特許文献２の詰替え容器用の栓部材では、被詰替え容器の注出用ノズル（注出スパウト）を挿入可能な筒状のスパウト部（周壁部）を備えており、この筒状の周壁部の内側底部に設けられたシール板に形成された開封用スコアを、挿入された被詰替え容器の注出用ノズルの押し込みによって破断させることで、詰替え容器と被詰替え容器とを連通する連通開口を形成させるようになっている。
【０００５】
また、特許文献１の詰替え容器用の栓部材では、筒状の周壁部は、被詰替え容器の注出スパウトの略Ｕ字形状の断面形状に沿った断面形状部分を備えていることで、使用者は、筒状の周壁部の向きを被詰替え容器の注出スパウトの向きに合わせてから、周壁部に注出スパウトを挿入するようになっている。特許文献２の詰替え容器用の栓部材では、筒状の周壁部は円筒形状を有していて、使用者は、円筒形状の周壁部の向きに特に配慮することなく、周壁部に被詰替え容器の注出スパウトを挿入することができるが、注出スパウトの向きが開封用スコアの向きと合っていなくても、開封用スコアを破断させた後に注出スパウトをさらに押し込んで行くのに伴って、周壁部の内側に突出して設けられた、複数のノズル位置決めリブやスリット部位置決めリブの作用によって、注出スパウトを、開封用スコアの破断によってシール板に形成された連通開口の向きと合うように誘導するすることが可能である。
【先行技術文献】
【特許文献】
【０００６】
【特許文献１】特開２０１０−２３５１５２
【特許文献２】特開２０１０−２４７８９６
【発明の概要】
【発明が解決しようとする課題】
【０００７】
しかしながら、特許文献１や特許文献２の詰替え容器用の栓部材では、いずれも周壁部の内側底部に設けられたシール板に形成された開封用スコアを、被詰替え容器の注出スパウトの押し込みによって破断させることで、連通開口を開口させるようになっているので、開封用スコアを破断させるためには相当の大きさの押込み力が必要になって、栓部材の開封時における操作性が劣ることになる。
【０００８】
また、特許文献１の詰替え容器用の栓部材では、非円形の筒状の周壁部の向きを被詰替え容器の注出スパウトの向きに合わせる操作に煩わしさを感じる場合がある。特許文献２の詰替え容器用の栓部材では、円筒形状の周壁部の向きに特に配慮することなく、周壁部に被詰替え容器の注出スパウトを挿入することが可能であるが、注出スパウトの押し込みによって開封用スコアを破断させる直前の、セット段階において、注出スパウトの向きが開封用スコアの向きと大きく異なっていると、スムーズな開封操作や注出スパウトの押し込み操作を行うことが困難になる。
【０００９】
本発明は、注出スパウトの押し込みによって開封させる直前のセット段階において、注出スパウトを所定の方向に容易に且つスムーズに位置決めさせることができると共に、セット状態での安定性を向上させることができ、これらによって開封時の操作性を効果的に向上させることができる詰替え容器用栓部材を提供することを目的とする。
【課題を解決するための手段】
【００１０】
本発明は、容器本体の口首部に注出スパウトを備えたキャップが装着された被詰替え容器に内容物を詰め替えるための、詰替え容器の詰替え流出口を覆って取り付けられる詰替え容器用栓部材であって、栓本体部と、前記注出スパウトによって前記栓本体部から容器の内側に押し出される押出し蓋部とからなり、前記栓本体部は、基盤部から上方に立設して前記注出スパウトの先端部分の導入開始部となる円形又は略円形の中空断面形状を備える環状導入壁を備えており、該環状導入壁の内側領域には、前記注出スパウトの外周断面形状に沿った略Ｕ字形状の開口縁部を有する装着開口が形成されており、前記押出し蓋部は、前記装着開口を前記環状導入壁とは反対側の下方から覆って前記栓本体部に着脱可能に取り付けられており、且つ前記装着開口の下端開口面よりも上方に突出して前記開口縁部の略Ｕ字形状部分の内側に配置される位置決めセット壁を備えており、該位置決めセット壁と前記環状導入壁との間に形成されたガイド溝に前記注出スパウトの先端部分を挿入することで、前記注出スパウトの先端部分を外周面が前記開口縁部の略Ｕ字形状部分に沿う向きに位置決めさせる詰替え容器用栓部材を提供することにより、上記目的を達成したものである。
【００１１】
また、本発明は、容器本体の口首部に円柱の側面一方向が開放された形状の注出スパウトを備えたキャップが装着された被詰替え容器に内容物を詰め替えるための詰替え容器の、詰替え流出口を覆って取り付けられる詰替え容器用栓部材であって、栓本体部と、前記注出スパウトによって前記栓本体部から詰替え容器の内側に押し出される押出し蓋部とからなり、前記栓本体部は、基盤部から上方に立設して前記注出スパウトの先端部分の導入開始部となる円形又は略円形の中空断面形状を備える環状導入壁を備え、該環状導入壁の内側に開口縁部の最深部に向かって傾斜する傾斜誘導面が設けられた詰替え容器用栓部材を提供することにより、上記目的を達成したものである。
【００１２】
さらに、本発明は、容器本体の口首部に注出スパウトを備えたキャップが装着された被詰替え容器に内容物を詰め替えるための、詰替え容器の詰替え流出口を覆って取り付けられる詰替え容器用栓部材であって、栓本体部と、前記注出スパウトによって前記栓本体部から容器の内側に押し出される押出し蓋部とからなり、前記栓本体部は、基盤部から上方に立設して前記注出スパウトの先端部分の導入開始部となる円形又は略円形の中空断面形状を備える環状導入壁を備えており、前記栓本体部又は前記押出し蓋部のいずれかに、傾斜を有する傾斜部を設けることで、前記注出スパウトは前記傾斜部に沿って、挿入され、前記注出スパウトの先端部分を外周面が前記開口縁部の略Ｕ字形状部分に沿う向きに位置決めさせる詰替え容器用栓部材を提供することにより、上記目的を達成したものである。
【発明の効果】
【００１３】
本発明の詰替え容器用栓部材によれば、注出スパウトの押し込みによって開封させる直前のセット段階において、注出スパウトを所定の方向に容易に且つスムーズに位置決めさせることができると共に、セット状態での安定性を向上させることができ、これらによって開封時の操作性を効果的に向上させることができる。
【図面の簡単な説明】
【００１４】
【図１】本発明の好ましい一実施形態に係る詰替え容器用栓部材を取り付けた詰替え容器によって、被詰替え容器に内容物を詰め替える状況を説明する略示斜視図である。
【図２】本発明の好ましい一実施形態に係る詰替え容器用栓部材の構成を説明する斜視図である。
【図３】本発明の好ましい一実施形態に係る詰替え容器用栓部材の構成を説明する、（ａ）は図２のＡ−Ａに沿った断面図、（ｂ）は図２のＢ−Ｂに沿った断面斜視図である。
【図４】本発明の好ましい一実施形態に係る詰替え容器用栓部材の構成を説明する上面図である。
【図５】押出し蓋部の斜視図である。
【図６】詰替え容器の構成を説明する斜視図である。
【図７】詰替え容器に取り付けられる注出スパウトを備える注出キャップの構成を説明する斜視図である。
【図８】本発明の好ましい一実施形態に係る詰替え容器用栓部材に対して注出キャップの注出スパウトをセットした状態を説明する破断斜視図である。
【図９】他の形態に係る詰替え容器用栓部材を説明する、（ａ）は注出キャップの注出スパウトをセットした状態の破断斜視図、（ｂ）は注出キャップの注出スパウトをセットする状態の断面図である。
【図１０】詰替え容器用栓部材の好ましい他の形態を例示する、（ａ）は斜視図、（ｂ）は（ａ）のＣ−Ｃに沿った側断面図、（ｃ）は上面図である。
【図１１】図１０の詰替え容器用栓部材の構成を説明する、（ａ）は側断面図、（ｂ）は（ａ）のＤ−Ｄ、Ｅ−Ｅ、Ｆ−Ｆ、Ｇ−Ｇ、Ｈ−Ｈに沿った各端面図である。
【図１２】（ａ）、（ｂ）は、更に他の形態に係る詰替え容器用栓部材を説明する、注出キャップの注出スパウトをセットした状態の破断斜視図である。
【発明を実施するための形態】
【００１５】
本発明の好ましい一実施形態に係る詰替え容器用栓部材１０は、図１に示すように、詰替え容器１１として例えば薄肉のボトル形状の容器の口首部１２に、これの先端の詰替え流出口１３（図６参照）を覆って取り付けられる。ここで、詰替え容器１１は、図６にも示すように、自立載置部を備える底部１４と、内容物を注出させる口首部１２と、底部１４と口首部１２との間の肉厚が例えば５０〜１５０μｍ程度の胴部１５とを含んで形成されている。詰替え容器１１は、好ましくは、口首部１２を下方に配置した倒立状態で、内部に充填収容した内容物である例えば液体洗剤を、詰替え流出口１３を介した空気置換によることなく、胴部１５自体を収縮変形させながらある程度まで注出させることが可能な可撓性を胴部１５が備えるように構成されている。
【００１６】
また、本実施形態では、詰替え容器１１は、図１に示すように、容器本体１７の口首部に注出スパウト１８を備える注出キャップ１９が装着された、例えば液体洗剤用の被詰替え容器１６に液体洗剤を詰め替えたり補充したりするための、液体洗剤を内容物とする詰替え容器となっている。本実施形態の詰替え容器用栓部材１０は、詰替え容器１１に収容された液体洗剤を、注出キャップ１９の注出スパウト１８の内側の注出路を介して、被詰替え容器１６の内部に効率良く流入させてゆく機能を備えると共に、注出スパウト１８の押し込みによって詰替え容器１１と被詰替え容器１６とを連通させる操作を、スムーズに且つ安定した状態で行えるようにする機能を備える。
【００１７】
ここで、注出スパウト１８を備える注出キャップ１９は、図１及び図７に示すように、被詰替え容器１６の容器本体１７の口首部の外周部分を覆って取り付けられる装着スカート部２０と、容器本体１７の口首部の内周面に沿って配置される内筒壁２１と、内筒壁２１の下端部に連設する底面壁２２とを含んで構成される、好ましくは計量キャップと組み合わせて用いる公知のものである。注出スパウト１８は、液体洗剤を注出させる際の傾倒方向Ｘ（図１参照）とは反対側を開放部２３としたＵ字又は略Ｕ字の断面形状を有すると共に、注出キャップ１９の内筒壁２１と離間して底面壁２２から立設した状態で設けられている。
【００１８】
そして、本実施形態の詰替え容器用栓部材１０は、図１に示すように、容器本体１７の口首部に注出スパウト１８を備えた注出キャップ１９が装着された被詰替え容器１６に内容物である液体洗剤を詰め替えるための、詰替え容器１１の詰替え流出口１３（図６参照）を覆って取り付けられる栓部材であって、図２及び図３（ａ）、（ｂ）に示すように、栓本体部２４と、注出スパウト１８によって栓本体部２４から容器１１の内側に押し出される押出し蓋部２５とからなる。栓本体部２４は、図４にも示すように、基盤部２６から上方に立設して、注出スパウト１８の先端部分１８ａの導入開始部となる円形又は略円形の中空断面形状を備える環状導入壁２７を備えている。この環状導入壁２７の内側領域には、注出スパウト１８の外周断面形状に沿った略Ｕ字形状の開口縁部２８を有する装着開口２９が形成されている。押出し蓋部２５は、装着開口２９を環状導入壁２７とは反対側の下方から覆って栓本体部２４に着脱可能に取り付けられており、且つ装着開口２９の下端開口面よりも上方に突出して開口縁部２８の略Ｕ字形状部分２８ａの内側に配置される位置決めセット壁４０を備えている。位置決めセット壁４０と環状導入壁２７との間に形成されたガイド溝４１に注出スパウト１８の先端部分１８ａを挿入させることで、注出スパウト１８の先端部分１８ａを、外周面が装着開口２９の開口縁部２８の略Ｕ字形状部分２８ａに沿う向きに位置決めさせることができるようになっている。
【００１９】
また、本実施形態では、位置決めセット壁４０は、押出し蓋部２５に設けられた切頭円錐形状部分２５ａの周壁部によって構成されており、位置決めセット壁４０の上端部に連設して、ドーム形状部分２５ｂが設けられている。
【００２０】
本実施形態では、詰替え容器１１は、例えば、ポリプロピレン、ポリエチレン、ポリエチレンテレフタレート等の合成樹脂を用いた延伸ブロー成形によって形成されたものである。詰替え容器１１は、図６に示すように、自立載置部を備える底部１４と、液体洗剤を注出させる詰替え流出口１３を備える口首部１２と、底部１４と口首部１２との間の肉厚が５０〜１５０μｍ程度の胴部１５とを含んで構成される。また、詰替え容器１１は、胴部１５の上方に連続して詰替え容器１１の上端部分を構成する肩部３１を備えている。肩部３１の上端中央部分から上方に突出して、円筒形状の口首部１２が一体として設けられている。
【００２１】
詰替え容器１１の口首部１２は、厚肉に形成されることで、手の力では変形させることが困難な程度の保形剛性を備えており、上端が詰替え流出口１３として開口している。口首部１２には、詰替え流出口１３を覆うようにして、本実施形態の詰替え容器用栓部材１０が嵌合装着される。また、口首部１２には、栓部材１０のキャッピング時の操作性等を考慮して、ノズル掛かり部１２ａが設けられている。
【００２２】
本実施形態では、詰替え容器用栓部材１０は、例えばポリプロピレン、ポリエチレン等の合成樹脂を用いた金型成形品であって、図２〜図５に示すように、栓本体部２４と、栓本体部２４に着脱可能に取り付けられる押出し蓋部２５とからなる。栓本体部２４は、円環帯板形状の基盤部２６と、基盤部２６と同心状に配置されると共に、基盤部２６の内周縁部から上方に立設して一体として設けられた、円形又は略円形の中空断面形状を備える環状導入壁２７とを含んで構成される。また、基盤部２６の外周縁部から下方に延設して、扁平な円筒形状の環状スカート部３２が一体として設けられている。環状スカート部３２の内周面には、例えば係止リブ３２ａが設けられている。係止リブ３２ａを、詰替え容器１１の口首部１２の外周面に設けられた例えば係止段差部１２ｂ（図６参照）に係着することにより、容易には取り外すことができない状態で、詰替え容器１１の口首部１２に詰替え容器用栓部材１０が嵌合装着される（図１、図６参照）。
【００２３】
本実施形態では、環状導入壁２７の内側領域には、注出キャップ１９の注出スパウト１８を装着させる装着開口２９が開口形成されている。装着開口２９は、注出スパウト１８の先端部分１８ａによって押出し蓋部２５が押し出された後は、詰替え容器１１と被詰替え容器１６とを連通する連通開口となる。装着開口２９は、例えば注出スパウト１８の立設方向中間部分における外周断面形状に沿った形状の略Ｕ字形状部分２８ａを含む、当該略Ｕ字形状部分２８ａの開放側端部を短径部分２８ｂで仕切った、略半長円形状の開口縁部２８を有している（図４参照）。本実施形態では、開口縁部２８の短径部分２８ｂは、両端部の間の中間部分に、弧状に湾曲して外側に張り出した弧状湾曲部２８ｃを有している。短径部分２８ｂに弧状湾曲部２８ｃが設けられていることで、後述する切頭円錐形状部分４０ａを備える押出し蓋部２５を、当該切頭円錐形状部分４０ａの基端部において短径部分２８ｂと緩衝しないようにしつつ、位置決めセット壁４０を装着開口２９の下端開口面よりも上方に突出させて容易に配設することが可能になる。
【００２４】
さらに、本実施形態では、環状導入壁２７の内側面には、当該内側面から装着開口２９に向けて下方に傾斜する傾斜誘導壁面部３４が設けられている。傾斜誘導壁面部３４は、図４（ａ）に示すように、装着開口２９の開口縁部２８の略Ｕ字形状部分２８ａに沿った部分において、上面から見て当該略Ｕ字形状部分２８ａと環状導入壁２７の内側面との間に介在して、略Ｕ字形状部分２８ａの先端部、すなわち開口縁部２８の最深部に向けてその幅を減少させるように設けられている。また傾斜誘導壁面部３４は、図２及び図３（ａ）、（ｂ）に示すように、環状導入壁２７の内側面から径方向内側の装着開口２９に向けて緩い勾配で下方に傾斜すると共に、略Ｕ字形状部分２８ａの短径部分２８ｂ側から先端部に向けて、緩い勾配で下方に傾斜するように設けられている。傾斜誘導壁面部３４は、環状導入壁２７の中間の高さ位置に設けられると共に、その内側縁部３４ａが、基盤部２５に対して垂直に切り立った垂直壁面部３５を介して、装着開口２９の開口縁部２８の略Ｕ字形状部分２８ａと接続している。ドーム形状部分２５ｂと傾斜誘導壁面部３４とが開口縁部の最深部に向かって傾斜する傾斜誘導面を構成する。傾斜誘導面により、詰め替え用起用栓部材１０がその位置と向きとを、被詰替え容器１６の注出スパウト１８の先端部が開口縁部２８の最深部に一致するように移動、回転する。
【００２５】
さらに、本実施形態では、栓本体部２４には、図３（ａ）、（ｂ）に示すように、装着開口２９を下方から覆って取り付けられる押出し蓋部２５を着脱可能に装着させる、扁平な円筒形状の環状装着壁部３６が一体として設けられている。環状装着壁部３６は、環状導入壁２７の直下部分から装着開口２９よりも下方に延設すると共に、基盤部２５の外周縁部から下方に延設して設けられた環状スカート部３２の内側に同心状に配置されて設けられる。この環状装着壁部３６には、切頭円錐形状部分４０ａを装着開口２９の下端開口面よりも上方に突出させた状態で、押出し蓋部２５が着脱可能に取り付けられる。
【００２６】
押出し蓋部２５は、本実施形態では、図３（ａ）、（ｂ）及び図５に示すように、環状装着壁部３６の内径と略同様の外径を有する扁平な円筒形状の環状装着基部２５ｃと、この環状装着基部２５ｃの上端縁部に一体接合されて、周方向に連続して設けられた帯板形状の環状肩部２５ｄと、環状肩部２５ｄの内側縁部に一体接合されて、上方に立設して設けられた切頭円錐形状部分２５ａとからなる。切頭円錐形状部分２５ａは、環状装着基部２５ｃ及び環状肩部２５ｄと同心状に配置されると共に、その周面部が、環状導入壁２７との間にガイド溝４１を形成する位置決めセット壁４０を構成する。また切頭円錐形状部分２５ａの上端部の切頭部分は、上方に向けて凸の湾曲面となったドーム形状部分２５ｂとなっている。
【００２７】
押出し蓋部２５は、その環状装着基部２５ｃを、環状装着壁部３６の下方からこれの内側に嵌め込むことで、環状装着壁部３６に装着される。これによって押出し蓋部２５は、環状肩部２５ｄを装着開口２９の下方に近接配置すると共に、装着開口２９を下方から覆った状態で、栓本体部２４に一体として接合固定して容易に取り付けることができる。またこれによって、押出し蓋部２５の切頭円錐形状部分２５ａは、その環状肩部２５ｄと近接する基端部を除く略全体の部分が、装着開口２９の下端開口面よりも上方に突出する。また切頭円錐形状部分２５ａの外周部による位置決めセット壁４０は、装着開口２９の下端開口面から環状導入壁２７の先端までの高さの半部以上の高さ位置まで、上方に突出して配置されることになる。
【００２８】
ここで、位置決めセット壁４０は、装着開口２９の下端開口面から環状導入壁２７の先端までの高さの半部以上の高さ位置まで、上方に突出して配置されることが好ましい。これによって、位置決めセット壁４０の外周面と、好ましくは垂直壁面部３５による環状導入壁２７の内周面との間に形成されたガイド溝４１が、相当の深さを備えることになる。またこれによって、このガイド溝４１に注出スパウト１８の先端部分１８ａを挿入配置した状態である、注出スパウト１８の先端部分の押し込みにより装着開口２９を開封させる前のセット段階において、注出スパウト１８のグラツキを生じさせることなく、注出スパウト１８の先端部分１８ａを、外周面が開口縁部２８の略Ｕ字形状部分２８ａに沿う向きに固定することが可能となり、より安定した状態で位置決めさせることが可能になる。
【００２９】
また、本実施形態では、押出し蓋部２５を栓本体部２４に着脱可能に一体として接合固定することによって得られた詰替え容器用栓部材１０は、詰替え容器１１の口首部１２に嵌合装着することで、液体洗剤が充填された詰替え容器１１を容易に且つ強固に封止することが可能になる。なお、押出し蓋部２５は、環状装着壁部３６の下方からこれの内側に、打ち込み方式で装着固定することもできる。
【００３０】
詰替え容器１１から被詰替え容器１６に内容物である液体洗剤を詰め替える際には、例えば詰替え容器１１に取り付けられた詰替え容器用栓部材１０に対して、被詰替え容器１６に取り付けられた注出キャップ１９の注出スパウト１８を、押出し蓋部２５の位置決めセット壁４０によって案内させつつ所定の方向にセットする。しかる後に、装着開口２９に向けて注出スパウト１８を押し込むことにより、押出し蓋部２５が栓本体部２４から詰替え容器１１の内側に容易に押し出されるので、装着開口２９を連通開口として、詰替え容器１１をスムーズに開封させることが可能になる。
【００３１】
押出し蓋部２５が押し出された後に、さらに注出スパウト１８を押し込むことにより、注出スパウト１８は、その立設方向中間部分において、外周面を、栓本体部２４に形成された装着開口２９の開口縁部２８の略Ｕ字形状部分２８ａに略密着させることが可能になる。これによって、注出スパウト１８は、装着開口２９に位置決めされた状態で栓部材１０に装着されることになるので、当該装着開口２９を連通開口とすると共に、注出スパウト１８の内側を注出路として、詰替え容器１１から被詰替え容器１６に、液漏れを生じさせることなく、液体洗剤を安定した状態でスムーズに詰め替えてゆくことが可能になる。
【００３２】
そして、上述の構成を備える本実施形態の詰替え容器用栓部材１０によれば、注出スパウト１８の押し込みによって開封させる直前のセット段階において、注出スパウト１８を所定の方向に容易に且つスムーズに位置決めさせることが可能になると共に、セット状態での安定性を向上させることが可能になり、これらによって開封時の操作性を効果的に向上させることが可能になる。
【００３３】
すなわち、本実施形態によれば、詰替え容器用栓部材１０は、栓本体部２４と押出し蓋部２５とからなり、注出スパウト１８の押し込みによって、着脱可能に取り付けられた押出し蓋部２５を容器１１の内側に押し出すことで、装着開口２９による連通開口を開口させるようになっている。これによって、例えばシール板に形成された開封用スコアを破断させることで開口させる従来の栓部材に対する押込み力と比較して、押出し蓋部２５を押し出すための押込み力を相当程度小さくすることが可能になる。またこれによって、注出スパウト１８の押し込みにより開封する際の押込み力を、効果的に軽減するとが可能になる。
【００３４】
また、本実施形態によれば、詰替え容器用栓部材１０は、円形又は略円形の中空断面形状の環状導入壁２７を備えているので、使用者は、環状導入壁２７の向きに特に配慮することなく、当該環状導入壁２７に被詰替え容器１６の注出スパウト１８の先端部分を導入することが可能になる。詰替え容器用栓部材１０の押出し蓋部２５は、装着開口２９の下端開口面よりも上方に突出して略Ｕ字形状部分２８ａの内側に配置される位置決めセット壁４０を備えており、この位置決めセット壁４０と環状導入壁２７との間にガイド溝４１が形成されるようになっている。このガイド溝４１に注出スパウト１８の先端部分１８ａを挿入させることで、図８に示すように、注出スパウト１８の先端部分１８ａを、外周面が装着開口２９の開口縁部２８の略Ｕ字形状部分２８ａに沿う向きに位置決めさせることが可能になる。これによって、押出し蓋部２５の押し出しによって装着開口２９を開口させる直前のセット段階において、注出スパウト１８の先端部分１８ａを、位置決めセット壁４０と環状導入壁２７との間で固定できるので、装着開口２９の向きに合わせたグラつきのない安定した状態で位置決めさせることが可能になると共に、注出スパウト１８にセットした際のセット感を効果的に向上させることが可能になる。
【００３５】
これらによって、押出し蓋部２５の押し出しによって装着開口２９による連通開口を開口させる開封時の操作性を、効果的に向上させることが可能になる。
【００３６】
さらにまた、本実施形態によれば、押出し蓋部２５の切頭円錐形状部分２５ａによる位置決めセット壁４０の上端部に連設して、ドーム形状部分２５ｂが設けられているので、このドーム形状部分２５ｂに注出スパウト１８の先端部分１８ａの傾斜辺部１８ｂを当接させることで、注出スパウト１８の先端部分１８ａを誘導することが可能になる。
【００３７】
また、本実施形態によれば、環状導入壁２７の内側面には、当該内側面から装着開口２９に向けて下方に傾斜する傾斜誘導壁面部３４が、傾斜部として形成されているので、注出スパウト１８の先端部分１８ａを外周面が開口縁部２８の略Ｕ字形状部分２８ａに沿う向きにさらにスムーズに誘導して、開封時の操作性をさらに効果的に向上させることが可能になる。
【００３８】
図９（ａ）、（ｂ）は、詰替え容器用栓部材の他の形態を例示するものである。図９（ａ）、（ｂ）に示す詰替え容器用栓部材１０’では、押出し蓋部２５’の位置決めセット壁４０’は、図８に示す上記実施形態の押出し蓋部２５の切頭円錐形状部分２５ａに代えて設けられた、円筒状部分２５ｅによって構成されている。また、図９（ａ）、（ｂ）に示す詰替え容器用栓部材１０’では、押出し蓋部２５の円筒状部分２５ｅの上端部に一体として接続された、上方に向けて凸の湾曲面となったドーム形状部分２５ｂ’に注出スパウト１８の先端部分１８ａの傾斜辺部１８ｂを当接させることで、注出スパウト１８の先端部分１８ａを誘導して（図９（ｂ）参照）、当該先端部分１８ａを、位置決めセット壁４０’と環状導入壁２７との間のガイド溝４１’に位置決めさせるようになっている。図９（ａ）、（ｂ）に示す詰替え容器用栓部材１０’によっても、上記実施形態の詰替え容器用栓部材１０と同様の作用効果が奏される。
【００３９】
図１０（ａ）〜（ｃ）及び図１１（ａ）、（ｂ）は、詰替え容器用栓部材の好ましい他の形態を例示するもである。図１０、図１１に示す詰替え容器用栓部材１０”では、以下の構成を除いて、上記実施形態の詰替え容器用栓部材１０と同様の構成を備えている。上記実施形態の詰替え容器用栓部材１０と同様の構成部分については、上記実施形態の詰替え容器用栓部材１０と同様の符号を付して、その詳細な説明は省略する。
【００４０】
図１０、図１１に示す詰替え容器用栓部材１０”では、押出し蓋部２５”の位置決めセット壁４０”は、図９に示す詰替え容器用栓部材１０’と同様に、円筒状部分２５ｅ”によって構成されている。また、押出し蓋部２５”の円筒状部分２５ｅ”の上端部に一体として接続されて、上方に向けて凸の湾曲面となったドーム形状部分２５ｂ”が設けられている。さらに、図１０、図１１に示す詰替え容器用栓部材１０”では、環状導入壁２７”は、その内壁面２７ａ”の形状が、上端開口面又はこれの近傍部分から、下方の装着開口２９”又はこれの近傍部分に向けて、円形又は略円形から、略Ｕ字形状部分を含む例えば略半長円形となるように、その内周形状を好ましくは滑らかに徐々に変化させてゆくものとなっている（環状導入壁２７の上端部部分が円形で、装着開口２９”の開口緑部２８”が略半長円形で、その間を補間するような形状となっている。）。
【００４１】
図１０、図１１に示す詰替え容器用栓部材１０”によっても、上記実施形態の詰替え容器用栓部材１０と同様の作用効果が奏される他、以下のような作用効果が奏される。
【００４２】
中栓本体部の内壁の切断面形状が徐々に円形（略円形）からU字形状になっていることで（図１１（ｂ）参照）、詰替えを行う消費者が、注出スパウトに詰替えを差し込む際に方向を気にすることなく使用でき、詰替えを押圧する過程で、U字の形状に沿って、所定の位置まで誘導され、正しい位置にリセットされ、効果的に詰替え時の操作性を向上させることが可能になる。開口部がU字断面であることで、液溢れを防止することも可能になる。蓋部が上に凸形状になっていることで、蓋部のセット壁と中栓本体部の内壁の間に注出スパウトの先端が挟み込まれるようにセットされ、開栓前のセット時の安定性を向上することができ（ぐらつきを防止することができ）、詰替え時の操作性を効果的に向上させることが可能になる。さらに、セット状態での安定性が向上し、ぐらつきを防止することで、押し圧開封するときに、力を加えやすくなり、開栓性も向上することが可能になる。
【００４３】
中栓の内壁形状は、中栓本体部の内壁の切断面形状が徐々に円形（略円形）からU字形状になっていて、好ましくは、基盤部から上端部までの高さの上端部から１０％の高さ以上が円形断面に相当し、下端開口部から１０％の高さ以上がU字断面に相当することが好ましい。さらに、好ましくは、下端開口部から２０％の高さ以上がU字断面に相当することが好ましい。これによって、上端部から１０％の高さ以上が円形断面に相当することで、視覚的、及び挿し込み時の感触において、方向性を気にすることなく挿し込むことが可能となる。また下端開口部から１０％の高さ以上がU字断面に相当することで、内壁によるセット時の安定性を向上することが可能となる。
【００４４】
蓋部の形状はドーム形状で、半部以上の高さであることが好ましい。さらに中栓の内壁と蓋部の位置決めセットとの距離がスパウトの厚みの６倍以下であることが好ましい。さらに厚みの３倍以下であることが好ましい。これによって、蓋部がドーム形状であることで、蓋部ドーム部に注出スパウトが当たった際に、ドーム部と中栓本体部内壁に誘導され、より効果的に、セット位置まで誘導することが可能である。また、中栓の内壁と蓋部の位置決めセットとの距離が小さくなることでより、スパウトを固定することができ、安定性を効果的に向上させることが可能となる。
【００４５】
なお、本発明は上記実施形態に限定されることなく種々の変更が可能である。例えば環状導入壁の内側面に、装着開口に向けて下方に傾斜する傾斜誘導壁面部や傾斜部が形成されている必要は必ずしもない。また、押出し蓋部を、栓本体部とは異なる色に着色しておくこともできる。
【００４６】
位置決めセット壁を備える押出し蓋部は、図８〜図１１に示す形態のものの他、環状導入壁との間にガイド溝を形成することが可能なその他の種々の形態のものを採用することができる。例えば、図１２（ａ）に示すように、図８に示す押出し蓋部２５の切頭円錐形状部分２５ａに代えて、上端部が平坦な有天円筒形状部分５０を設けて、この有天円筒形状部分５０の外周面を位置決めセット壁とすることもできる。また、図１２（ｂ）に示すように、扁平な有天円筒形状の装着基部５１の平坦な天面５２から円筒形状部分５３を立設させて、この円筒形状部分５３の外周面を位置決めセット壁とすることもできる。
【符号の説明】
【００４７】
１０，１０’  詰替え容器用栓部材
１１  詰替え容器
１２  口首部
１３  詰替え流出口
１６  被詰替え容器
１７  被詰替え容器の容器本体
１８  注出スパウト
１８ａ  先端部分
１８ｂ  傾斜辺部
１９  注出キャップ
２３  注出スパウトの開放部
２４  栓本体部
２５  押出し蓋部
２５ａ  切頭円錐形状部
２５ｂ，２５ｂ’  ドーム形状部分
２５ｃ  環状装着基部
２６  基盤部
２７  環状導入壁
２８  開口縁部
２８ａ  略Ｕ字形状部分
２８ｂ  短径部分
２９  装着開口
３２  環状スカート部
３４  傾斜誘導壁面部
３６  環状装着壁部
４０，４０’  位置決めセット壁
４１，４１’  ガイド溝
【図１】
0006018751.tif 000002
【図２】
0006018751.tif 000003
【図３】
0006018751.tif 000004
【図４】
0006018751.tif 000005
【図５】
0006018751.tif 000006
【図６】
0006018751.tif 000007
【図７】
0006018751.tif 000008
【図８】
0006018751.tif 000009
【図９】
0006018751.tif 000010
【図１０】
0006018751.tif 000011
【図１１】
0006018751.tif 000012
【図１２】
0006018751.tif 000013